(57)【特許請求の範囲】
【請求項１】
回転角度又は天井傾斜角度に合わせた外径が異なる２枚のリフレクターで構成され、その一方の下側のリフレクターは上方一部に切欠部を有して支持枠に支持され、他方の上側のリフレクターは、下方一部に切欠部を有し、照明器具本体の下端に支持してなる支持枠回転軸にセットして構成し、また下側のリフレクターは、上側のリフレクターより外径を小さく構成し、
さらに、リフレクターの曲面を平面ファセット化し曲面設計値より集光深度に幅をもたせた配光から拡散まで制御し得るように構成し、また可変配光を調整するために円筒状のソケットホルダーをスライド機構とするように構成したことを特徴とする埋込型照明器具。
【請求項２】
前記埋込型照明器具は、コーン型照明器具として使用する場合は、２枚のリフレクターの切り欠き角度が重なるように下側のリフレクターを水平回転調整し、光損失を軽減するように構成したことを特徴とする請求項１記載の埋込型照明器具。
【請求項３】
前記埋込型照明器具は、ユニバーサル埋込型照明器具として使用する場合は、２枚のリフレクターの切り欠き角度が相対するように１８０度回転するようにして構成し、また上部のリフレクターを自在に照明方向に傾け調整するように構成したことを特徴とする請求項１記載の埋込型照明器具。
【発明の詳細な説明】
【０００１】
【発明の属する技術分野】
本発明は埋込型照明器具の改良に関する。
【０００２】
【従来の技術】
一般に建築家や店舗設計家にとって照明器具の選定は必ずしも容易ではない。また各店舗毎の商品のレイアウトや売場の将来的変更を踏まえた照明設計を考慮し最適な照明器具と配光を得ることができよう考慮する必要がある。しかし、現況下ではこれらに柔軟に対応する照明器具はない。
【０００３】
【発明が解決しようとする課題】
従来の照明手法では、ベース照明や商品照明など建築空間の多様性に対応するために配光のバリエーション（狭角、中角、広角）や照射方向の可変性などそれぞれ機種を選定しなければならない。
また従来の照明器具では個々の照明目的が限定され、それために建築空間の照明演出に融通がきかず、催事や売場を変更するときなどは機種の交換が必要である。
【０００４】
本発明は上記の点に鑑み発明したものであって、一般照明からスポット照明、ウオールウオツシャー照明、傾斜天井照明等を１機種で対応可能な配光調整機能を有し、さらに照射方向を自由に設定することができる埋込型照明器具を提供することを目的とする。
【０００５】
【課題を解決するための手段】
本発明は上記した課題を解決するために次の構成とする。請求項１に記載の発明は、回転角度又は天井傾斜角度に合わせた外径が異なる２枚のリフレクターで構成され、その一方の下側のリフレクターは上方一部に切欠部を有して支持枠に支持され、他方の上側のリフレクターは、下方一部に切欠部を有し、照明器具本体の下端に支持してなる支持枠回転軸にセットし、
また下側のリフレクターは、上側のリフレクターより外径を小さく構成して構成してある。
さらに、リフレクターの曲面を平面ファセット化し曲面設計値より集光深度に幅をもたせた配光から拡散まで制御し得るように構成し、また可変配光を調整するために円筒状のソケットホルダーをスライド機構とするように構成してある。
【０００６】
請求項２に記載の発明は、請求項１記載の埋込型照明器具において、コーン型埋込照明器具として使用する場合は、２枚のリフレクターの切り欠き角度が重なるように下部のリフレクターを水平回転調整し、光損失を軽減するように構成してある。
【０００７】
請求項３に記載の発明は、請求項１に記載の埋込型照明器具において、ユニバーサル型埋込照明器具として使用する場合は、２枚のリフレクターの切り欠き角度が相対するように１８０度回転するように構成し、また上部のリフレクターを自在に照射方向に傾け調整するように構成してある。
【０００８】
請求項１乃至請求項３に記載の埋込型照明器具によると、リフレクターの位置と角度を調整することにより、配光を調整して、１機種の埋込型照明器具で、一般照明からスポット照明、ウオールウオツシャー照明、傾斜天井照明等の用途に対応することができる。
【００１１】
【発明の実施の形態】
以下本発明を図１乃至図５について説明する。図１は乃至図３において、１は埋込型の照明器具本体で筒状に構成し、外表面に複数の放熱フィン２を形成してある。３は照明器具本体１に固定してなるリフレクター、１２は照明器具本体１の下端に支持してなる支持枠回転軸、４はリフレクター３に対して可動するように構成してなるリフレクターであって、リフレクター３に対して外径を小さく構成してある。またリフレクター３とリフレクター４は回転角度又は天井傾斜角度に合わせて構成してある。またリフレクター３は下方一部に切欠部５を有して構成し、リフレクター４は上方一部に切欠部６を有して構成し、リフレクターの回動範囲が大きくなるように構成してある。
【００１２】
７はリフレクター４を支持するための支持枠であって、リフレクター載置部８と天井面９へのリング１０で構成してある。またリフレクター３は支持枠回転軸１２に回動するように支持される。１１は照明器具を天井面に掛合するための複数の掛合片であり、弾性を有して構成してある。
【００１３】
図２に示す埋込型照明器具は、例えば回転放物面形の反射面を有するコーン型埋込照明器具として使用する場合の実施例を示すもので、可動するリフレクター４がリフレクター３に対して水平回転し、リフレクター４の切欠部６がリフレクター３の切欠部５と重なるように構成してある。このように構成すると、リフレクター３とリフレクター４の切欠部の間に隙間ができず光損失を軽減することができる。
【００１４】
図３に示す埋込型照明器具は、回動自在のユニバーサル埋込型照明器具として使用する場合の実施例を示すもので、リフレクター３とリフレクター４の切り欠き角度が相対するように１８０度回転して構成してある。また固定したリフレクター３を所望の照射方向に傾け調整する。このように構成することにより所望の方向を一台の埋込型照明器具で、所望の範囲を照明することができる。
【００１５】
図４と図５に示す埋込型照明器具は、曲面設計値より集光深度に幅をもたせるように配光から拡散まで制御し得るように構成した埋込型照明器具の実施例であって、狭角、中角、広角に対応するように構成してある。図５において、２０は照明器具本体１に対して前後にスライドするように構成してなる円筒状のソケットホルダー、２１はソケットホルダー２０に固定してなるソケットである。ソケットホルダー２０をスライドすることにより配光を制御することができる。図５において２２は照明器具本体１の壁面一部に構成した長溝であって、同長溝２２よりソケットホルダー２０に対して調整ネジ２３を差込み、所定の箇所で照明器具本体１に対してソケットホルダー２０を支持する。この調整ネジ２３を調整してソケットの位置を変えることにより配光を制御することができる。
またリフレクター３とリフレクター４の曲面を図４に示すように、平面ファセット化して構成してある。２４は光源である。リフレクター３とリフレクター４は、曲面を平面ファセット化することにより、曲面設計値より集光深度に幅を持たせた配光を集光から拡散まで制御することができる。つまりリフレクター３とリフレクター４の曲面を平面ファセット化した構成において、図５の矢府に合せてソケットホルダー２０を移動することにより、狭角、中角、広角のいずれかの配光を得る得ることができる。
【００１６】
【発明の効果】
上記した請求項１乃至請求項３に記載の発明によると、リフレクターの位置と角度を調整することにより、１機種の埋込型照明器具で、一般照明からスポット照明、ウオールウオツシャー照明、傾斜天井照明等複数の照明の用途に対応することができる特別な効果がある。
【図面の簡単な説明】
【図１】本発明に係る埋込型照明器具の正面図。
【図２】図１の埋込型照明器具のリフレクターを回動したときの正面図。
【図３】図１における可動するリフレクターの角度を変えたときの正面図。
【図４】図１におけるリフレクターの一部拡大図。
【図５】本発明に係る埋込型照明器具の照明器具本体部の拡大正面図。
【符号の説明】
１  照明器具本体
２  放熱フィン
３  リフレクター
４  リフレクター
５  切欠部
６  切欠部
７  支持枠
８  リフレクター載置部
９  天井面
１０  リング
１１  掛合片
１２  支持枠回転軸
２０  ソケットホルダー
２１  ソケット
２２  長溝
２３  調整ネジ
２４  光源
【図１】
0004296579.tif 000002
【図２】
0004296579.tif 000003
【図３】
0004296579.tif 000004
【図４】
0004296579.tif 000005
【図５】
0004296579.tif 000006